(57)【要約】【課題】ベルトを使って２つの部材を連結するのに好都合な連結具を提供する。【解決手段】第１の部材2は第１の開口5を有する。第２の部材3は第２の開口6を有する。連結具1を第１、第２の開口5、6に挿入して第１、第２の部材2、3を重ねたときに、連結具1の第1のベルト通し口7が第１の部材2側で露出する。他方、第２のベルト通し口8が第２の部材3側で露出する。この状態で、第１、第２のベルト通し口7、8にベルト4を挿通させる。このベルト4を２つの連結具1、1の間に掛け渡してベルト4の端を例えばバックルなどによってロックすることで第１、第２の部材2、3をベルト4によって相互に固定することができる。【選択図】図11
2015024791.tif 000002
【特許請求の範囲】
【請求項１】
第１の開口を備えた第１の部材と、第２の開口を備えた第２の部材とをベルトで固定するための連結具であって、
前記第１の開口と前記第２の開口に挿入可能な外形形状を有し、
前記第１の開口と前記第２の開口とに挿入した状態で前記第１の部材と前記第２の部材とを互いに隣接して位置決めしたときに前記第１の部材側で露出する第１のベルト通し口と前記第２の部材側で露出する第２のベルト通し口とを有し、
これら第１、第２のベルト通し口が前記連結具の内部で互いに連通していることを特徴とする連結具。
【請求項２】
前記第１の部材が、前記第１の開口を形成する有底の凹所を有し、
該凹所に追加のベルト通し口が形成されて、該凹所に前記連結具を挿入したときに該連結具の前記第１のベルト通し口と前記追加のベルト通し口とが整合する、請求項１に記載の連結具。
【請求項３】
前記第１の部材が収納ボックスであり、
該収納ボックスの底に前記凹所が形成されている、請求項２に記載の連結具。
【請求項４】
前記連結具が、前記第１のベルト通し口と前記第２のベルト通し口との間に位置する突起を有し、
前記連結具を前記第２の部材の前記第２の開口に挿入したときに、該第２の開口の開口縁に前記突起が係合する、請求項１〜３のいずれか一項に記載の連結具。
【請求項５】
前記ベルトがラッシングベルトである、請求項１〜４のいずれか一項に記載の連結具。
【請求項６】
前記第２の部材が小型車両の荷台である、請求項５に記載の連結具。
【発明の詳細な説明】
【技術分野】
【０００１】
本発明は、第１の部材と第２の部材とを脱着可能にベルトで連結するのに好都合な連結具に関する。
【背景技術】
【０００２】
第１の部材と第２の部材とを脱着可能に連結するのにボルトナットの組み合わせが汎用されている。例えば特許文献１は、自転車の荷台に収納ボックスを固定する構造を開示している。この固定構造では、自転車の荷台として、前後に延びる連結縦板部と、その上端に接合された取付用水平板とが用意される。そして、収納ボックスの底壁には、これを貫通する複数の透孔が形成されている。収納ボックスは、その底壁の透孔にボルトが挿通され、このボルトとナットとを使って上述した取付用水平板に締結される。
【０００３】
他の例として、特許文献２は、ゴム紐を使って収納ボックスを二輪車の荷台に固定する従来の方法では、走行中に収納ボックスが脱落してしまう虞があるという問題点を指摘している。そして、この特許文献２は、複数のボルトを植設した長方形の固定プレート部材を用意し、この固定プレート部材のボルトとナットを使って二輪車の荷台に固定プレート部材を固定すると共に、この固定プレート部材の左右の両端に夫々起立するＵ字状の起立プレート部材で収納ボックスを挟持することを提案している。
【０００４】
他の例として、特許文献３は、２つの後輪を備えた宅配サービス用三輪バイクを開示している。そして、この特許文献３は、また、三輪バイクの荷台に収納ボックスを固定する構造を開示している。すなわち、平板状のベースプレートを荷台にボルト止めすると共に、このベースプレートに収納ボックスをネジ止めする構造を特許文献３は開示している。
【先行技術文献】
【特許文献】
【０００５】
【特許文献１】実用新案登録第３００６８２４号公報
【特許文献２】実用新案登録第３０１８３１１号公報
【特許文献３】実用新案登録第３１３３９１７号公報
【発明の概要】
【発明が解決しようとする課題】
【０００６】
ボルトナットの組み合わせによる締結具は多くの利点を有している。例えば一般ネジ、特殊ネジ、ボルトヘッドの形状の違い、ボルト軸長の違いなど様々な選択肢の中から選ぶことができるという利便性がある。しかし、ねじ山が毀損するとナットを取り外すことができない、ボルトナットの締結状態ではボルト軸がナットから突出した状態である等の特有の問題を有している。
【０００７】
ところで、荷物の固定や締め付けに用いられるラッシング(Lashing)ベルトが広く普及している。このラッシングベルトは物流業界で多用されている。このラッシングベルトは強靱であるだけでなく、ボルトナットとは違って可撓性があるという利点がある。本願発明者は、この種のベルトの特性に着目して本発明を案出するに至ったものである。
【０００８】
本発明の目的は、ベルトを使って２つの部材を連結するのに好都合な連結具を提供することにある。
本発明の更なる目的は、ボックスを固定するのに好都合な連結具を提供することにある。
本発明の更なる目的は、車両に収納ボックスを固定するのに好都合な連結具を提供することにある。
【課題を解決するための手段】
【０００９】
上記の技術的課題は、本発明によれば、
第１の開口を備えた第１の部材と、第２の開口を備えた第２の部材とをベルトで固定するための連結具であって、
前記第１の開口と前記第２の開口に挿入可能な外形形状を有し、
前記第１の開口と前記第２の開口とに挿入した状態で前記第１の部材と前記第２の部材とを互いに隣接して位置決めしたときに前記第１の部材側で露出する第１のベルト通し口と前記第２の部材側で露出する第２のベルト通し口とを有し、
これら第１、第２のベルト通し口が前記連結具の内部で互いに連通していることを特徴とする連結具を提供することにより達成される。
【００１０】
図１１を参照して本発明の連結具を説明すると、図示の連結具１は、第１の部材２と第２の部材３とをベルト４で固定するのに用いられる。第１の部材２は第１の開口５を有する。第２の部材３は第２の開口６を有する。連結具１を第１、第２の開口５、６に挿入して第１、第２の部材２、３を重ねたときに、連結具１の第１のベルト通し口７が第１の部材２側で露出し、他方第２のベルト通し口８が第２の部材３側で露出する。この第１、第２のベルト通し口７、８は連結具１の内部で相互に連通している。この状態で、第１、第２のベルト通し口７、８にベルト４を挿通させる。このベルト４を２つの連結具１、１の間に掛け渡してベルト４の端を例えばバックルなどによってロックすることで第１、第２の部材２、３をベルト４によって相互に固定することができる。ここに、ベルト４として典型的にはラッシングベルトを用いればよい。
【００１１】
図１２は、一つの典型例として、第１の部材２の第１の開口５が有底であってもよい。すなわち、第１の部材２に凹所９を形成して、この凹所９によって第１の開口５を形成するようにしてもよい。勿論、この凹所９は連結具１の一部を受け入れる深さを有している。そして、この凹所９に連結具１を受け入れたときに、この連結具１の第１のベルト通し口７と一致する位置に追加のベルト通し口１０を凹所９に設ければよい。この具体例を後に実施例で詳細に説明するが、凹所９を備えた第１の部材２の典型例として、前述した特許文献１、２に開示の収納ボックスを挙げることができる。この場合には、第２の部材３はバイクなどの小型車両の荷台である。ここに小型車両の例として自転車、オートバイ、スクーターを挙げることができる。このような小型車両は典型的には二輪車が最も普及しているが、三輪車、四輪車であってもよい。三輪車は前輪二輪、後輪一輪であってもよいし、前輪一輪、後輪二輪であってもよい。
【００１２】
本発明の好ましい実施形態では、本発明の連結具を車両に搭載するボックス、例えばルーフキャリアや小型車両の荷台に設置する収納ボックスの固定に利用される。
【００１３】
本発明の他の目的及び本発明の作用効果は、以下の実施例の詳しい説明から明らかになろう。
【図面の簡単な説明】
【００１４】
【図１】本発明の連結具が適用可能な収納ボックスの斜視図である。
【図２】実施例の連結具を使って収納ボックスをバイクの荷台に固定することを説明するための図である。
【図３】連結具を斜め前方から見た斜視図である。
【図４】連結具を斜め後方から見た斜視図である。
【図５】連結具をバイクの荷台の開口にセットした状態を示す図である。
【図６】連結具を介在させて収納ボックスをバイクの荷台に設置する状態を説明するための図である。
【図７】収納ボックスをバイクの荷台にベルト止めする作業工程を説明するための図であって、収納ボックスの底の凹所に形成されているベルト通し口にベルトを挿入する状態を示す。
【図８】収納ボックスをバイクの荷台にベルト止めする作業工程を説明するための図であって、荷台の下方に露出する連結具の下方ベルト通し口からベルトを引き出した状態を示す。
【図９】連結具の上方ベルト通し口と下方ベルト通し口とにベルトを通すことで収納ボックスをバイクの荷台に固定することが可能であることを説明するための図である。
【図１０】一組の２つの連結具に掛け渡したベルトで収納ボックスを荷台に固定した状態を説明するための断面図である。
【図１１】本発明の原理を概念的に説明するための図である。
【図１２】本発明の典型的な実施形態を概念的に説明するための図である。
【発明を実施するための形態】
【実施例】
【００１５】
以下に、添付の図面に基づいて本発明の好ましい実施例を説明する。
【００１６】
図１はバイクの荷台に固定される収納ボックス１００を示す。ここに、「バイク」とは具体的には現在普及している配達用のオートバイを意味しているが、これは単なる例示に過ぎない。自転車やスクーターであってもよい。
【００１７】
収納ボックス１００は合成樹脂成型品である。この収納ボックス１００は、平面視矩形の上方に向けて開放したボックス本体１０２と、ボックス本体１０２の上端開口を閉じる上蓋１０４とを有し、この上蓋１０４はヒンジ（図示せず）によって開閉可能である。
【００１８】
図２に示す参照符号１１０はバイクの荷台である。荷台１１０は複数の荷台開口１１０ａを有している。この荷台開口１１０ａに偶数個（実施例では４個）の連結具１１２が設置され、この連結具１１２を使って収納ボックス１００が荷台１１０に固定される。
【００１９】
図３は連結具１１２を斜め前方から見た斜視図であり、図４は連結具１１２を斜め後方から見た斜視図である。連結具１１２は合成樹脂成型品である。連結具１１２は荷台開口１１０ａの開口縁と係合する突起１１４を有している。具体的には、連結具１１２は、その高さ方向中間部分に突起１１４を有し、この突起１１４によって、連結具１１２を荷台開口１１０ａに挿入したときに連結具１１２の上部を荷台１１０から上方に突出した状態で位置決めすることができる。
【００２０】
連結具１１２は、図３から分かるように突起１１４を挟んで、その上下に上方ベルト通し口１１６と下方ベルト通し口１１８とを有し、これら上下のベルト通し口１１６、１１８は横方向に細長い扁平な開口で構成されている。実施例の連結具１１２は、図４から分かるように中空体であり、後方に向けて開放した形状を有し、この中空構造によって上下のベルト通し口１１６、１１８は相互に連通した関係にある。勿論、連結具１１２は中実であってもよく、この場合には、上下のベルト通し口１１６、１１８を互いに連通させる通路が連結具１１２の内部に形成される。
【００２１】
図５〜図１０を参照して連結具１１２を使った収納ボックス１００の固定方法を説明する。ここに、先ず、連結具１１２を荷台１１０の荷台開口１１０ａに挿入する（図５）。これにより、連結具１１２の突起１１４が荷台開口１１０ａの縁に係止されて連結具１１２の上部が荷台１１０から突出した状態となる。
【００２２】
次いで、収納ボックス１００を荷台１１０の上に載せる。収納ボックス１００の底１００ａには、連結具１１２を受け入れる有底の凹所１２０（図６）が形成されている。収納ボックス１００を荷台１１０の上に載せることで凹所１２０に連結具１１２の上部が嵌入した状態となる。
【００２３】
収納ボックス１００の凹所１２０には底１００ａに隣接した位置に追加のベルト通し口１２２が形成されている。凹所１２０に連結具１１２が嵌入したときに、この凹所１２０の追加のベルト通し口１２２が、連結具１１２の上方ベルト通し口１１６と整合した状態になる。
【００２４】
図７は収納ボックス１００の内部を上方から見た図である。バックル１３０を備えたベルト１３２の端を追加のベルト通し口１２２及び上方ベルト通し口１１６に通し、そして、このベルト１３２の端を連結具１１２の下方ベルト通し口１１８に挿入して荷台１１０の下側に引き出す。この状態を図８、図９に示す。図８は荷台１１０を下方から見た図である。この引き出したベルト１３２の端を別の連結具１１２の下方ベルト通し口１１８に挿入し、そして、この連結具１１２の上方ベルト通し口１１６及び追加のベルト通し口１２２を通過させて収納ボックス１００の中に引き出す。そして、このベルト１３２の端をバックル１３０に固定する（図１０）。他の一組の２つの連結具１１２についても同じ要領でベルト１３２で固定する。これにより、２本のベルト１３２と４つの連結具１１２を使って収納ボックス１００を荷台１１０に固定することができる。
【００２５】
このように荷台１１０及び収納ボックス１００の双方に対して脱着可能な連結具１１２を使って収納ボックス１００をベルト１３２で荷台１１０に固定することができる。ベルト１３２は市販のラッシングベルトを採用することができる。
【００２６】
実施例の連結具１１２は別の種類の収納ボックスに対しても適用することができる。すなわち、任意の収納ボックスの設計において連結具１１２に適合した凹所１２０を形成する設計を行うことで、この収納ボックスに対して本発明の連結具１１２を適用することができる。
【符号の説明】
【００２７】
１００  収納ボックス
１００ａ  収納ボックスの底
１１０  バイクの荷台
１１０ａ  荷台開口
１１２  連結具
１１４  連結具の突起
１１６  連結具の上方ベルト通し口
１１８  連結具の下方ベルト通し口
１２０  収納ボックスの凹所
１２２  凹所の追加のベルト通し口
１３０  バックル
１３２  ベルト
【図１】
2015024791.tif 000003
【図２】
2015024791.tif 000004
【図３】
2015024791.tif 000005
【図４】
2015024791.tif 000006
【図５】
2015024791.tif 000007
【図６】
2015024791.tif 000008
【図７】
2015024791.tif 000009
【図８】
2015024791.tif 000010
【図９】
2015024791.tif 000011
【図１０】
2015024791.tif 000012
【図１１】
2015024791.tif 000013
【図１２】
2015024791.tif 000014